(57)【特許請求の範囲】
【請求項１】
木柱を礎石上に建てて柱脚部に足固貫を貫通させている既存の木造建物を対象として、その柱脚部の補修を行う工法であって、
既存の足固貫を撤去するとともに、その足固貫が貫通していた仕口部を含めて木柱の柱脚部を切除し、
柱脚を支持する通し土台を柱脚に対して水平ずれ止め用のダボを介して取り付け、
左右に分割した根継材を礎石に対して水平ずれ止め用のダボを介して礎石上に設置して、その根継材によって通し土台を水平変位を拘束する状態で下方から支持することを特徴とする木造建物の柱脚部の補修工法。
【請求項２】
木柱を礎石上に建てて柱脚部に足固貫を貫通させている既存の木造建物を対象として、その柱脚部の補修を行う工法であって、
既存の足固貫を残置あるいは交換するとともに、その足固貫を貫通させる仕口部を残してそれよりも下部の柱脚部を切除し、
左右に分割した根継材を礎石に対して水平ずれ止め用のダボを介して礎石上に設置して、その根継材によって柱脚を水平変位を拘束する状態で下方から支持することを特徴とする木造建物の柱脚部の補修工法。
【発明の詳細な説明】
【０００１】
【発明の属する技術分野】
本発明は、伝統的な木造建物に適用する柱脚部の補修工法に関する。
【０００２】
【従来の技術】
周知のように、寺社建築に代表される我国の伝統的な木造建物は、木柱に貫や長押その他の部材を組み合わせた木造軸組によるものである。図１は柱脚部の伝統的な木造軸組における柱脚部の仕口を示すもので、これは木柱（丸柱）１を礎石２上にダボ３を介して建て込み、柱脚部に設けた貫通穴に足固貫４を貫通させたものである。
【０００３】
【発明が解決しようとする課題】
ところで、図１に示したような木造軸組による柱脚部が腐食したり白蟻被害を受ける等して、たとえば斜線を付した範囲を補修するような必要が生じた場合、従来においてはこのような伝統的な木造軸組の意匠や機能を大きく損なうことなくその補修を行うための有効適切な手法は確立されておらず、そのような手法の開発が望まれていた。
【０００４】
【課題を解決するための手段】
上記事情に鑑み、請求項１の発明は、木柱を礎石上に建てて柱脚部に足固貫を貫通させている既存の木造建物を対象として、その柱脚部の補修を行う工法であって、既存の足固貫を撤去するとともに、その足固貫が貫通していた仕口部を含めて木柱の柱脚部を切除し、柱脚を支持する通し土台を柱脚に対して水平ずれ止め用のダボを介して取り付け、左右に分割した根継材を礎石に対して水平ずれ止め用のダボを介して礎石上に設置して、その根継材によって通し土台を水平変位を拘束する状態で下方から支持することを特徴とする。
【０００５】
請求項２の発明は、同じく木柱を礎石上に建てて柱脚部に足固貫を貫通させている既存の木造建物を対象として、その柱脚部の補修を行う工法であって、既存の足固貫を残置あるいは交換するとともに、その足固貫を貫通させる仕口部を残してそれよりも下部の柱脚部を切除し、左右に分割した根継材を礎石に対して水平ずれ止め用のダボを介して礎石上に設置して、その根継材によって柱脚を水平変位を拘束する状態で下方から支持することを特徴とする。
【０００６】
【発明の実施の形態】
図１〜図４を参照して本発明の第１実施形態である補修工法について説明する。なお、各図において（ａ）は正面図、（ｂ）は側面図である。
【０００７】
本第１実施形態は図１に示した柱脚部に対し斜線で示した範囲を補修する場合に適用したもので、図２に示すように柱脚部を仮設治具５により仮支持して木柱１の荷重を仮受けした状態で、既存の足固貫４を撤去し、かつ足固貫４が貫通していた仕口部を含めて柱脚部を切除する。その際、木柱１の芯部の健全な部分を利用してダボ６を形成する。
【０００８】
次に、図３に示すように、撤去した足固貫４に代えて長尺の木材からなる通し土台７を柱脚に取り付ける。この際、通し土台７にはほぞ穴を設けておき、柱脚に設けたダボ６をそのほぞ穴に嵌合させて双方の水平ずれ止めを行う。
【０００９】
そして、図４に示すように、通し土台７を支持する根継材８を取り付ける。根継材８は左右に分割されたブロック状の木材からなるもので、それぞれの上面両側部に通し土材７の側面に係合する突起部９を残した形状に加工したものである。この根継材８を礎石２に対してダボ３を介して設置して双方を通しボルト１０により緊結することで、この根継材８によって通し土台７を下方から支持するとともに左右から狭持する。そして、根継材８の前後の位置において通し土台７の下面にずれ止め材１１を釘打ちにより固定する。最後に仮設治具５を撤去して完成となる。なお、ずれ止め材１１を用いることなく、たとえば図５に示すように根継材８と通し土台７とに直接的に係合するシアコッター１２を設けることでも良い。
【００１０】
以上の補修工法によれば、補修を要する部分を新たな部材に置き換えることで補修効果が得られることはもとより、木柱１、通し土台７、根継材８、礎石２が水平方向にも連結するので、木柱１に作用する軸力のみならず水平力も通し土台７、根継材８を介して礎石２に確実に伝達され、したがって十分な強度を確保できて補修前に較べて補強効果も得られ、耐震性能を向上させることができる。また、各部材の加工やそれらの組み立て作業も単純であって何等面倒ではなく、特に根継材８を左右に分割しておいて通し土台７を両側からを挟み込むようにしていることから、その加工や取り扱いが容易であって作業性に優れる。
【００１１】
図６〜図７は第２実施形態を示す。これは、同じく図１に示す軸組の柱脚部の補修を対象とするものであるが、図６に示すように足固貫４およびその仕口部が健全であって補修範囲が小さい場合の適用例である。この場合、足固貫４は既存のものをそのまま残置するか、あるいは必要であれば同一寸法の新たなものに交換する。
【００１２】
そして、第１実施形態の場合と同様に木柱１を仮設材５により仮支持しつつ、木柱１の最下端部のみを切除し、かつ健全な芯部を利用してダボ６を形成し、上記と同様に左右に分割したブロック状の根継材８を礎石２上に設置してその上面に設けたほぞ穴にダボ６を係合させ、この根継材８を通しボルト１０により連結して、根継材８により木柱１を支持するとともに水平力の伝達も行う。
【００１３】
本第２実施形態においては、第１実施形態における通し土台７を設けることなく根継材８新たに設けるのみであるので、より簡単に補修を行うことが可能であり、同様に補強効果も得られる。
【００１４】
なお、本発明は上記各実施形態に限定されるものではなく、たとえば通し土台や根継材の形状や寸法その他細部の構成は、補修対象の軸組の構造、各部材の形状や寸法、補修の範囲や補強の程度、その他の条件を考慮して最適に決定すれば良い。
【００１５】
【発明の効果】
請求項１の発明は、木柱の柱脚部を切除し、足固貫を撤去してそれに代えて通し土台を設け、根継材により通し土台を支持して、木柱、通し土台、根継材、礎石を水平方向に連結するので、伝統的な木造軸組を生かしつつ簡便に補修が可能であり、かつ補強効果も得ることができる。
【００１６】
請求項２の発明は、足固貫を残置あるいは交換して木柱の柱脚部を切除し、根継材により柱脚を支持して、木柱、根継材、礎石を水平方向に連結するので、上記と同様の効果が得られ、補修範囲が小さい場合に好適である。
【図面の簡単な説明】
【図１】  本発明の第１実施形態の補修方法を示すもので、補修前の状態を示す図である。
【図２】  同、柱脚部を切除した状態を示す図である。
【図３】  同、通し土台を取り付けた状態を示す図である。
【図４】  同、完成状態を示す図である。
【図５】  同、変形例を示す図である。
【図６】  本発明の第２実施形態の補修方法を示すもので、補修前の状態を示す図である。
【図７】  同、完成状態を示す図である。
【符号の説明】
１  木柱
２  礎石
３  ダボ
４  足固貫
５  仮設治具
６  ダボ
７  通し土台
８  根継材
９  突起部
１０  通しボルト
１１  ずれ止め材
【図１】
0003931967.tif 000002
【図２】
0003931967.tif 000003
【図３】
0003931967.tif 000004
【図４】
0003931967.tif 000005
【図５】
0003931967.tif 000006
【図６】
0003931967.tif 000007
【図７】
0003931967.tif 000008